(57)【要約】【課題】異なる撮像方向の被写体を撮影して合成画像を得る撮像装置、撮像方法、及び撮像プログラムの提供。【解決手段】デジタルカメラ１の前面（図１（ａ））に被写体側撮像部２０を設け、背面（図１（ｂ））にモニタ側撮像部２０’を設ける。同時撮影モードを選択すると、前面の撮影レンズ２から取り込まれた被写体画像と背面の撮影レンズ２’から取り込まれたモニタ側画像が合成されて表示部１３にスルー表示される。ユーザが任意のタイミングでシャッターキー７を操作すると、画像記録モードに遷移し、シャッターキー７の操作時点で表示されていた合成画像が圧縮され、保存メモリに記録される。【選択図】  図１
2004363994.tif 000002
【特許請求の範囲】
【請求項１】
正面に前方の被写体像を取り込んで光電変換信号を出力する第１の撮像部を配置し、背面に、後方の被写体像を取り込んで光電変換信号を出力する第２の撮像部と画像表示可能な表示部とを配置した撮像装置であって、
前記第１の撮像部と前記第２の撮像部で略同時に撮像を行う同時撮影モードにおいて、
前記第１の撮像部及び前記第２の撮像部からの被写体像の取り込み動作及び光電変換信号出力動作を略同時に行うように制御する同時撮影制御手段と、
前記第１の撮像部及び第２の撮像部から取り込んだ画像データをそれぞれ信号変換して処理する信号変換処理手段と、
前記信号変換処理手段によって変換された第１の撮像部からの画像データと第２の撮像部からの画像データを所定時間毎にそれぞれ１フレーム分ずつ画像記憶メモリに記憶する画像記憶制御手段と、
前記画像記憶メモリに記憶された第１の撮像部と第２の撮像部から取り込んだ画像データとを合成して前記表示部に表示する合成画像表示手段と、
撮像指示を行う撮像指示手段と、
前記撮像指示手段による撮像指示があると、その時点で前記表示部に表示されている画像を保存メモリに記録する画像記録モードに遷移するモード遷移手段と、
を備えたことを特徴とする撮像装置。
【請求項２】
前記信号変換処理手段は１系統の信号変換処理手段からなり、前記同時撮影制御手段は、同時撮影モード時には、前記第１の撮像部及び前記第２の撮像部からの被写体像の取り込み動作及び光電変換信号出力動作と前記信号変換処理手段による信号変換処理を時分割制御することを特徴とする請求項１記載の撮像装置。
【請求項３】
前記信号変換処理手段は２系統の信号変換処理手段からなり、前記同時撮影制御手段は、同時撮影モード時には、前記第１の撮像部及び前記第２の撮像部からの被写体像の取り込み動作及び光電変換信号出力動作と前記信号変換処理手段による信号変換処理を同時制御することを特徴とする請求項１記載の撮像装置。
【請求項４】
同時撮影モード時に、前記合成画像表示手段によって合成表示される画像の表示位置を指定する位置指定手段を備えたことを特徴とする請求項１記載の撮像装置。
【請求項５】
同時撮影モード時に、前記合成画像表示手段によって合成表示される画像の入れ替え指示可能なレイアウト入れ替え指示手段と、前記レイアウト入れ替え指示手段による指示に基づき合成表示される画像の入れ替えを行うレイアウト入れ替え手段を備えたことを特徴とする請求項４記載の撮像装置。
【請求項６】
前記モード遷移手段により同時撮影モードから画像記録モードに遷移したとき、前記画像メモリに記憶された第１の撮像部からの画像データと第２の撮像部からの画像データを合成する画像データ合成手段と、前記合成画像データを圧縮して保存メモリに記録する画像記録手段と、を備えたことを特徴とする請求項１記載の撮像装置。
【請求項７】
前記モード遷移手段により同時撮影モードから画像記録モードに遷移したとき、前記画像メモリに記憶された第１の撮像部からの画像データと第２の撮像部からの画像データをそれぞれ圧縮し、関連付けて保存メモリに記録する画像記録手段と、を備えたことを特徴とする請求項１記載の撮像装置。
【請求項８】
前記第２の撮像部の撮影レンズ部分は撮影方向が変更可能に構成されていることを特徴とする請求項１記載の撮像装置。
【請求項９】
正面に前方の被写体像を取り込んで光電変換信号を出力する第１の撮像部と、背面に、後方の被写体像を取り込んで光電変換信号を出力する第２の撮像部と画像表示可能な表示部と、を備えた撮像装置において、
撮影モードを選択するステップと、
前記第１の撮像部と前記第２の撮像部で略同時に撮像を行う同時撮影モードが選択されたとき、
前記第１の撮像部及び前記第２の撮像部からの被写体像の取り込み動作及び光電変換信号出力動作を略同時に行うように制御するステップと、前記第１の撮像部及び第２の撮像部から取り込んだ画像データをそれぞれ信号変換処理するステップと、信号変換処理された第１の撮像部からの画像データと第２の撮像部からの画像データを合成するステップと、合成された画像を前記表示部に表示するステップと、撮像指示を検出するステップと、撮像指示操作を検出すると、その時点で前記表示部に表示されている画像を保存メモリに記録する画像記録モードに遷移するステップと、
を備えたことを特徴とする撮像方法。
【請求項１０】
正面に前方の被写体像を取り込んで光電変換信号を出力する第１の撮像部と、背面に、後方の被写体像を取り込んで光電変換信号を出力する第２の撮像部と画像表示可能な表示部と、を備えた撮像装置において実行されるプログラムであって、
撮影モードを選択させるステップと、
前記第１の撮像部と前記第２の撮像部で略同時に撮像を行う同時撮影モードが選択されたとき、
前記第１の撮像部及び前記第２の撮像部からの被写体像の取り込み動作及び光電変換信号出力動作を略同時に行うように制御させるステップと、前記第１の撮像部及び第２の撮像部から取り込んだ画像データをそれぞれ信号変換処理させるステップと、信号変換処理された第１の撮像部からの画像データと第２の撮像部からの画像データを所定時間毎にそれぞれ１フレーム分ずつ画像記憶メモリに記憶させるステップと、前記画像記憶メモリに記憶された第１の撮像部及び第２の撮像部から取り込んだ画像データを合成させるステップと、合成画像を前記表示部に表示させるステップと、撮像指示の有無を検出させるステップと、撮像指示が検出されると、その時点で前記表示部に表示されている画像を保存メモリに記録する画像記録モードに遷移させるステップと、撮像指示が検出されない場合は前記第１の撮像部及び前記第２の撮像部による被写体像の取り込みに遷移するステップと、
を備えたことを特徴とする撮像プログラム。
【発明の詳細な説明】
【０００１】
【発明の属する技術分野】
本発明は、デジタルカメラ等の撮像装置に関し、特に、異なる撮像方向の被写体を撮像して合成画像を得ることのできる撮影装置に関する。
【０００２】
【従来の技術】
プリズムを用いることなく異なる撮像方向の被写体を撮影する撮像装置として、複数の撮像素子が湾曲し得る共通のフィルム状回路基板に実装され、撮像素子を互いに異なる向きに配置し、各撮像素子に対しそれぞれ結像レンズを有する光学部品を配置し、フィルム状回路基板には複数の撮像素子に共通の周辺回路素子を載置した撮像装置が提案されている（例えば、特許文献１参照）。
【０００３】
【特許文献１】
特開２００２−２８１３６０公報
【０００４】
【発明が解決しようとする課題】
デジタルカメラ等の撮像装置で、家族と撮影者であるユーザ自身を含む親子写真や仲間とユーザを含む集合写真等を撮るにはセルフタイマで撮像を行うか、他人に撮像を依頼することが通例である。
ここで、被写体人物と撮影者を略同時に撮影し、撮像を合成できれば親子写真や友人同士の写真を簡単に得ることができて至極便利である。
【０００５】
本発明は上記課題を解決するためになされたものであり、異なる撮像方向の被写体を撮影して合成画像を得る撮像装置、撮像方法、及び撮像プログラムの提供を目的とする。
【０００６】
【課題を解決するための手段】
上記課題を解決するために、請求項１に記載の発明では、正面に前方の被写体像を取り込んで光電変換信号を出力する第１の撮像部を配置し、背面に、後方の被写体像を取り込んで光電変換信号を出力する第２の撮像部と画像表示可能な表示部とを配置した撮像装置であって、第１の撮像部と第２の撮像部で略同時に撮像を行う同時撮影モードにおいて、第１の撮像部及び第２の撮像部からの被写体像の取り込み動作及び光電変換信号出力動作を略同時に行うように制御する同時撮影制御手段と、第１の撮像部及び第２の撮像部から取り込んだ画像データをそれぞれ信号変換して処理する信号変換処理手段と、信号変換処理手段によって変換された第１の撮像部からの画像データと第２の撮像部からの画像データを所定時間毎にそれぞれ１フレーム分ずつ画像記憶メモリに記憶する画像記憶制御手段と、画像記憶メモリに記憶された第１の撮像部と第２の撮像部から取り込んだ画像データとを合成して表示部に表示する合成画像表示手段と、撮像指示を行う撮像指示手段と、撮像指示手段による撮像指示があると、その時点で表示部に表示されている画像を保存メモリに記録する画像記録モードに遷移するモード遷移手段と、を備えたことを特徴とする撮像装置を提供する。
これにより、同時撮影モードの場合には被写体画像とモニタ側画像が合成されて表示されるので、ユーザはセルフタイマや他人に撮影依頼を行わなくても、撮影指示を行うことにより自分が参加した画像を簡単に得ることができる。
【０００７】
また、請求項２に記載の発明では、信号変換処理手段は１系統の信号変換処理手段からなり、同時撮影制御手段は、同時撮影モード時には、第１の撮像部及び第２の撮像部からの被写体像の取り込み動作及び光電変換信号出力動作と信号変換処理手段による信号変換処理を時分割制御することを特徴とする請求項１記載の撮像装置を提供する。これにより、撮像部のみを２系統にすればよいので撮像部のサイズをコンパクトにできる。
【０００８】
また、請求項３に記載の発明では、信号変換処理手段は２系統の信号変換処理手段からなり、同時撮影制御手段は、同時撮影モード時には、第１の撮像部及び第２の撮像部からの被写体像の取り込み動作及び光電変換信号出力動作と信号変換処理手段による信号変換処理を同時制御することを特徴とする請求項１記載の撮像装置を提供する。これにより、撮像部と信号変換処理部が２系統で同時制御ができるので、動作が上記請求項２記載の発明の撮像装置より単純化でき、撮像プログラムの具体的構成が簡単になる。
【０００９】
また、請求項４記載の発明では、同時撮影モード時に、合成画像表示手段によって合成表示される画像の表示位置を指定する位置指定手段を備えたことを特徴とする請求項１に記載の撮像装置を提供する。これにより、被写体の構成やカメラアングルにより、画像のどの部分に合成する画像を合成表示するかを指定できるので、見栄えのよい合成画像を得ることができる。
【００１０】
また、請求項５に記載の発明では、同時撮影モード時に、合成画像表示手段によって合成表示される画像の入れ替え指示可能なレイアウト入れ替え指示手段と、レイアウト入れ替え指示手段による指示に基づき、合成表示される画像の入れ替えを行うレイアウト入れ替え手段を備えたことを特徴とする請求項４記載の撮像装置を提供する。これにより、合成表示する被写体画像を後方の被写体像から前方の被写体像に、あるいは、前方の被写体像から後方の被写体像に入れかえることができるので、被写体の構成やカメラアングルにより適合した見栄えのよい合成画像を得ることができる。
【００１１】
また、請求項６に記載の発明では、モード遷移手段により同時撮影モードから画像記録モードに遷移したとき、画像メモリに記憶された第１の撮像部からの画像データと第２の撮像部からの画像データを合成する画像データ合成手段と、合成画像データを圧縮して保存メモリに記録する画像記録手段と、を備えたことを特徴とする請求項１記載の撮像装置を提供する。これにより、スルー表示されている画像のうち、所望の画像（合成画像）を保存記憶できる。また、合成画像をそのまま再生して表示又はプリント出力できる。
【００１２】
また、請求項７に記載の発明では、モード遷移手段により同時撮影モードから画像記録モードに遷移したとき、画像メモリに記憶された第１の撮像部からの画像データと第２の撮像部からの画像データをそれぞれ圧縮し、関連付けて保存メモリに記録する画像記録手段と、を備えたことを特徴とする請求項１記載の撮像装置を提供する。これにより、スルー表示されている画像のうち、所望の画像（合成画像）について合成前の画像を保存記憶できるので、撮像装置での再生時に、合成倍率や合成位置等を変更して表示又はプリント出力したり、合成前の画像を表示又はプリント出力することができる。また、外部装置に保存メモリの記録内容を移し、外部装置側で受け取った記録内容を再生して第１の撮像部からの画像データと第２の撮像部からの画像データを加工して合成画像を表示又はプリント出力したり、合成前の画像を得ることもできる。
【００１３】
また、請求項８に記載の発明では、第２の撮像部の撮影レンズ部分は撮影方向が変更可能に構成されていることを特徴とする請求項１記載の撮像装置を提供する。これにより、ユーザ（撮影者）が必ずしも撮像装置の後方に位置していなくてもユーザを撮像できるので、同時撮影モードを選択すれば、撮像装置前方の被写体像とユーザ像の合成画像を撮影することができる。
【００１４】
また、請求項９に記載の発明では、正面に前方の被写体像を取り込んで光電変換信号を出力する第１の撮像部と、背面に、後方の被写体像を取り込んで光電変換信号を出力する第２の撮像部と画像表示可能な表示部と、を備えた撮像装置において、撮影モードを選択するステップと、第１の撮像部と第２の撮像部で略同時に撮像を行う同時撮影モードが選択されたとき、第１の撮像部及び第２の撮像部からの被写体像の取り込み動作及び光電変換信号出力動作を略同時に行うように制御するステップと、第１の撮像部及び第２の撮像部から取り込んだ画像データをそれぞれ信号変換処理するステップと、信号変換処理された第１の撮像部からの画像データと第２の撮像部からの画像データを合成するステップと、合成された画像を表示部に表示するステップと、撮像指示操作を検出するステップと、撮像指示を検出すると、その時点で表示部に表示されている画像を保存メモリに記録する画像記録モードに遷移するステップと、を備えたことを特徴とする撮像方法を提供する。
これにより、同時撮影モードを選択すれば、ユーザはセルフタイマや他人に撮影依頼を行わなくても、撮影指示を行うことにより自分が参加した画像を簡単に得ることができる。
【００１５】
また、請求項１０に記載の発明では、正面に前方の被写体像を取り込んで光電変換信号を出力する第１の撮像部と、背面に、後方の被写体像を取り込んで光電変換信号を出力する第２の撮像部と画像表示可能な表示部と、を備えた撮像装置において実行されるプログラムであって、撮影モードを選択させるステップと、第１の撮像部と第２の撮像部で略同時に撮像を行う同時撮影モードが選択されたとき、第１の撮像部及び第２の撮像部からの被写体像の取り込み動作及び光電変換信号出力動作を略同時に行うように制御させるステップと、第１の撮像部及び第２の撮像部から取り込んだ画像データをそれぞれ信号変換処理させるステップと、信号変換処理された第１の撮像部からの画像データと第２の撮像部からの画像データを所定時間毎にそれぞれ１フレーム分ずつ画像記憶メモリに記憶させるステップと、画像記憶メモリに記憶された第１の撮像部及び第２の撮像部から取り込んだ画像データを合成させるステップと、合成画像を表示部に表示させるステップと、撮像指示の有無を検出させるステップと、撮像指示が検出されると、その時点で表示部に表示されている画像を保存メモリに記録する画像記録モードに遷移させるステップと、撮像指示が検出されない場合は第１の撮像部及び第２の撮像部による被写体像の取り込みに遷移するステップと、を備えたことを特徴とする撮像プログラムを提供する。
これにより、同時撮影モードが選択されると、被写体画像とモニタ側画像が合成されて表示されるので、ユーザはセルフタイマや他人に撮影依頼を行わなくても、撮影指示を行うことにより自分が参加した画像を簡単に得ることができる。
【００１６】
【発明の実施の形態】
（第１の実施の形態）
以下、本発明をデジタルカメラに適用した場合の第１の実施の形態について図面を参照して説明する。
【００１７】
図１は、本発明を適用したデジタルカメラの外観構成の一実施例を示す図であり、図１（ａ）は前面からの斜視図、図１（ｂ）は背面からの斜視図である。
デジタルカメラ１は略矩形の薄板状ボディの前面に正面側撮像部（以下、被写体側撮像部）２０、セルフタイマランプ３、光学ファインダ窓４、及びストロボ発光部５を配設し、上面には電源キー６およびシャッターキー７を配してなる。
【００１８】
被写体側撮像部２０の撮影レンズ２は、薄型のボディに搭載するために例えば、単焦点レンズで且つ固定焦点であるものとし、ズーム動作や合焦動作は行わないものとする。
【００１９】
電源キー６は、１回押圧する毎に電源をオン／オフするキーであり、シャッターキー７は撮影モード時にレリーズを指示する一方で、メニュー選択等では設定／実行を指示するキーとしても機能する。
また、デジタルカメラ１の背面には、撮影レンズ２’を含むモニタ側撮像部２０’、モードスイッチ（ＳＷ）８、メニューキー９、十字キー１０、光学ファインダ１１、ストロボチャージランプ１２、及び表示部１３が配設されている。
【００２０】
背面側撮像部（以下、モニタ側撮像部）２０’は自分撮り用であり、５０〜１００ｃｍにピントが合い、なお撮影される画角も５０〜１００ｃｍ先にいるユーザ（つまり、撮影者）を撮像するのに適した画角に構成されている。また、モニタ側撮像部２０’は撮像方向が変えられるように構成されており、所定の範囲で撮像方向を変えられるので、ユーザは必ずしもカメラの真後ろに位置しなくてもよい。
【００２１】
被写体側撮像部２０とモニタ側撮像部２０’のいずれで撮像するかはユーザが適宜選択できる。また、ユーザは被写体側撮像部２０とモニタ側撮像部２０’で被写体人物とユーザを略同時に撮影する同時撮影モードを選択することもできる。
【００２２】
モードスイッチ８は、例えばスライドスイッチにより構成され、撮影モード「Ｒ」と再生モード「Ｐ」とを切換える。
【００２３】
表示部１３は、バックライト付きのカラー液晶パネルで構成され、撮影モード時には電子ファインダとしてモニタ表示を行う一方で、再生モード時には選択された再生画像を表示する。また、同時撮影モードが選択された場合には被写体側撮像部２０とモニタ側撮像部２０’による撮影画像が合成されて表示される。
なお、図示はしないがこのボディ下面には蓋付きのメモリカードスロットが設けられ、デジタルカメラ１の記録媒体であるメモリカードが着脱自在に装着されるものとする。
【００２４】
図２は、デジタルカメラ１の電子回路構成の一実施例を示す図であり、デジタルカメラ１は、駆動モータ２１、撮影レンズ２を含む光学系レンズ２２及び撮像素子としてのＣＣＤ２３、駆動モータ２１’、撮影レンズ２’を含む光学系レンズ２２’及び撮像素子としてのＣＣＤ２３’、タイミング発生器（ＴＧ）２４、及び垂直ドライバ２５、サンプルホールド回路（Ｓ／Ｈ）２６、Ａ／Ｄ変換器２７、カラープロセス回路２８、ＤＭＡ（Ｄｉｒｅｃｔ  Ｍｅｍｏｒｙ  Ａｃｃｅｓｓ）コントローラ２９、ＤＲＡＭインターフェイス（Ｉ／Ｆ）３０、ＤＲＡＭ３１、制御部３２、ＶＲＡＭコントローラ３３、被写体側撮像部２０によって取り込まれた画像（以下、被写体画像）用のＶＲＡＭ３４、モニタ側撮像部２０’によって取り込まれた画像（以下、モニタ側画像）用のＶＲＡＭ３４’、デジタルビデオエンコーダ３５、キー入力部３６、ＪＰＥＧ回路３７、フラッシュメモリ３８、信号合成回路３９、及び表示部１３を備えている。
【００２５】
上記ＤＲＡＭ３１にはＣＣＤ２３からの１フレーム分の被写体画像データを記憶する領域と、ＣＣＤ２３’からの１フレーム分のモニタ側画像データを記憶する領域が確保されているものとする。なお、ＤＲＡＭ３１の代わりに、ＣＣＤ２３からの１フレーム分の被写体画像データを記憶するＤＲＡＭと、ＣＣＤ２３’からの１フレーム分のモニタ側画像データを記憶するＤＲＡＭを設けるようにしてもよい。また、信号合成回路３９は設けなくてもよい。
【００２６】
駆動モータ２１、撮影レンズ２を含む光学系レンズ２２及びＣＣＤ２３、タイミング発生器２４、及び垂直ドライバ２５は図１（ａ）に示した被写体側撮像部２０の回路を構成し、駆動モータ２１’、撮影レンズ２’を含む光学系レンズ２２’及びＣＣＤ２３’、タイミング発生器２４、及び垂直ドライバ２５は図１（ｂ）に示したモニタ側撮像部２０’の回路を構成している。
【００２７】
上記２つの撮像部はキー入力部３６からのユーザの指示に基づく制御部３２の制御により、一方のみの撮影か同時撮影モードによる撮影が可能である。なお、同時撮影モードの場合は時分割制御による撮影が行われる。また、本実施の形態では、モニタ側撮像部２０’の画素数は、例えば、モニタ側１００万画素、被写体側４００万画素といったように、被写体側撮像部２０の画素数より少なく構成されている。また、ＡＥ（Ａｕｔｏｍａｔｉｃ  Ｅｘｐｏｓｕｒｅ；自動露出）は撮像部２０、２０’それぞれに対して行われる。
【００２８】
撮影モードのモニタリング状態で、被写体側撮像部２０による撮影の際は、制御部３２からの駆動制御信号により駆動するモータ２１の駆動により絞り位置が移動される。上記撮影レンズ２を含む光学系レンズ２２の撮影光軸後方に配置されたＣＣＤ２３が、タイミング発生器２４からのタイミング信号に基づき垂直ドライバ２５によって走査駆動され、一定時毎に結像した光像に対する光電変換出力を１フレーム分出力する。
【００２９】
同様に、モニタ側撮像部２０’による撮影の際は、制御部３２からの駆動制御信号により駆動するモータ２１’の駆動により絞り位置が移動される。上記撮影レンズ２’を含む光学系レンズ２２’の撮影光軸後方に配置されたＣＣＤ２３’が、タイミング発生器２４からのタイミング信号に基づき垂直ドライバ２５によって走査駆動され、一定時毎に結像した光像に対する光電変換出力を１フレーム分出力する。
【００３０】
また、同時撮影モードの場合は、制御部３２は、モータ２１、２１’及びタイミング発生器２４のタイミング信号生成動作を時分割制御すると共に、垂直ドライバ２５の信号出力先（ＣＣＤ２３、ＣＣＤ２３’）を走査タイミングに同期させて切換えるようにして、ＣＣＤ２３及びＣＣＤ２３’を走査駆動させ、一定時毎に結像した光像に対する光電変換出力を１フレーム分出力させる。
【００３１】
ＣＣＤ２３又はＣＣＤ２３’からの光電変換出力は、アナログ値の状態でＲＧＢの各原色毎に適宜ゲイン調整された後に、サンプルホールド回路２６でサンプルホールドされ、Ａ／Ｄ変換器２７でデジタルデータに変換され、カラープロセス回路２８で画素補間処理及びγ補正処理を含むカラープロセス処理が行われて、デジタル値の輝度信号Ｙ及び色差信号Ｃｂ、Ｃｒ（以下、画像データ）が生成され、ＤＭＡコントローラ２９に出力される。同時撮影モードの場合は、ＣＣＤ２３からの光電変換出力とＣＣＤ２３’からの光電変換出力に基づくカラープロセス処理結果が別々にＤＭＡコントローラ２９に出力される。
【００３２】
ＤＭＡコントローラ２９は、カラープロセス回路２８の出力する画像データをそれぞれカラープロセス回路２８からの複合同期信号、メモリ書込みイネーブル信号、及びクロック信号を用いて一度ＤＭＡコントローラ２９内部のバッファに書き込み、ＤＲＡＭインターフェイス３０を介してバッファメモリとして使用されるＤＲＡＭ３１にＤＭＡ転送する。
【００３３】
なお、ＤＭＡコントローラ２９内部のバッファは、ＣＣＤ２３からの光電変換出力とＣＣＤ２３’からの光電変換出力に基づくカラープロセス処理の結果をそれぞれ書込むよう２つのバッファ（又は、２つの書込み領域が割り当てられた１つのバッファ）からなっており、同時撮影の場合は、それぞれのバッファ（又は、それぞれの書込み領域）から順次読み出してＤＲＡＭ３１にＤＭＡ転送し、ＤＲＡＭ３１に割り当てられている２つの書込み領域にそれぞれ書込む。
【００３４】
制御部３２は、ＣＰＵと、後述する色強調処理を含むＣＰＵで実行される動作プログラムや撮像動作プログラムを固定的に記憶したＲＯＭ、及びワークメモリとして使用されるＲＡＭ等により構成され、このデジタルカメラ１全体の制御動作を司るもので、上記輝度及び色差信号のＤＲＡＭ３１へのＤＭＡ転送終了後に、この画像データをＤＲＡＭインターフェイス３０を介してＤＲＡＭ３１から読出し、ＶＲＡＭコントローラ３３を介して被写体画像用のＶＲＡＭ３４又はモニタ側画像用のＶＲＡＭ３４’に書込む。
【００３５】
また、同時撮影モードの場合はＤＲＡＭ３１に割り当てられている２つの書き込み領域に書込まれている被写体画像及びモニタ側画像の画像データをＶＲＡＭコントローラ３３を介して被写体画像用のＶＲＡＭ３４及びＶＲＡＭ３４’にそれぞれ書込む。また、この際、ＶＲＡＭ３４又はＶＲＡＭ３４’には後述する合成画像縮小フラグの値により、被写体画像またはモニタ側画像のいずれかが所定倍率で縮小されて書込まれる。
【００３６】
デジタルビデオエンコーダ３５は、上記画像データをＶＲＡＭコントローラ３３を介してＶＲＡＭ３４又はＶＲＡＭ３４’から定期的に読み出し、これらのデータを元にビデオ信号を発生して表示部１３に出力する。
同時撮影モードの場合は、ＶＲＡＭ３４に書込まれているデータとＶＲＡＭ３４’に書込まれているデータを合成したビデオ信号を発生して表示部１３に出力する（図３参照）。
【００３７】
表示部１３は、上述したように撮影モード時にはモニタ表示部（電子ファインダ）として機能し、デジタルビデオエンコーダ３５からのビデオ信号に基づいた表示を行うことで、その時点でＶＲＡＭコントローラから撮り込んでいる画像情報に基づく画像をリアルタイムに表示（スルー画像表示）する。
【００３８】
表示部１３にその時点での画像がスルー画像表示されている状態で、静止画像撮影を行いたいタイミングでユーザがキー入力部３６を構成するシャッターキー７（図１参照）を操作するとトリガ信号を発生する。
【００３９】
制御部３２はこのトリガ信号に応じてＣＣＤ２３又は／及びＣＣＤ２３’から取り込んでいる１フレーム分の画像データのＤＭＡ転送の終了後、直ちにＣＣＤ２３又は／及びＣＣＤ２３’からのＤＲＡＭ３１への経路を停止し、記録保存の状態（画像記録モード）に遷移する。
【００４０】
記録保存の状態では、制御部３２がＤＲＡＭ３１に書込まれている１フレーム分の画像データをＤＲＡＭインターフェイス３０を介してＹ、Ｃｂ，Ｃｒの各コンポーネント毎に縦８画素×横８画素の基本ブロック単位で読み出してＪＰＥＧ（Ｊｏｉｎｔ  Ｐｈｏｔｏｇｒａｐｈ  ｃｏｒｄｉｎｇ  Ｅｘｐｅｒｔｓ  Ｇｒｏｕｐ）回路３７に書込み、このＪＰＥＧ回路３７でＡＤＣＴ（Ａｄａｐｔｉｖｅ  Ｄｉｓｃｒｅｔｅ  Ｃｏｓｉｎｅ  Ｔｒａｎｓｆｏｒｍ：適応離散コサイン変換）、エントロピ符号化方式であるハフマン符号化等の処理によりデータ圧縮する。そして、取得した符号データを１画像のデータファイルとしてＪＰＥＧ回路３７から読出し、デジタルカメラ１の記録媒体として着脱自在に装着されるメモリカード内に封入された、不揮発性メモリであるフラッシュメモリ３８に書込む。なお、フラッシュメモリ３８は上記メモリカードとは別にデジタルカメラ１に内蔵されていてもよい。
【００４１】
そして、１フレーム分の画像データの圧縮処理及びフラッシュメモリ３８への全圧縮データの書込み終了に伴って、制御部３８はＣＣＤ２３又はＣＣＤ２３’からＤＲＡＭ３１への経路を再び起動する。
【００４２】
また、同時撮影モードの場合は、記録保存の状態では、制御部３２は信号合成回路３９によりＤＲＡＭ３１に割り当てられている被写体画像データ領域に書込まれている１フレーム分の被写体画像の画像データとモニタ側画像データ領域に書込まれているモニタ側画像の画像データを合成し、その合成画像データをＤＲＡＭインターフェイス３０を介してＪＰＥＧ回路３７でデータ圧縮する。そして、取得した符号データを１画像のデータファイルとしてＪＰＥＧ回路３７から読出し、フラッシュメモリ３８に書込む。
【００４３】
なお、上記説明では、同時撮影の場合は、記録保存の状態で被写体画像とモニタ側画像の合成画像データをデータ圧縮してフラッシュメモリ３８に保存記憶するようにしたが、ＤＲＡＭ３１に書込まれている１フレーム分の被写体画像データとＤＲＡＭ３１に書込まれているモニタ側画像データをそれぞれ圧縮し、例えば、被写体画像データファイル名を”１−Ａ”、モニタ側画像データファイル名を”１−Ｂ”といったように互いに関連付けてフラッシュメモリ３８に書込むようにしてもよい。
また、合成画像としてフラッシュメモリ３８に書込むか別々の画像として関連付けてフラッシュメモリ３８に書込むかをユーザが選択設定できるように構成してもよい。
【００４４】
キー入力部３６は、上述した電源キー６、シャッターキー７、モードスイッチ８、メニューキー９、及び十字キー１０から構成され、それらのキー操作に伴う信号は直接制御部に送出される。
【００４５】
再生モード時には、制御部３２がフラッシュメモリ３８に記録されている画像データを選択的に読出し、ＪＰＥＧ回路３７で撮影モード時にデータ圧縮したと同じ手順で画像データを伸張し、伸張した画像データをＶＲＡＭコントローラ３３を介してＶＲＡＭ３４又はＶＲＡＭ３４’に展開して記憶させた上で、ＶＲＡＭ３４又はＶＲＡＭ３４’から定期的に読出し、これらの画像データを基にビデオ信号を発生して表示部１３で再生出力させる。
【００４６】
なお、同時撮影モードの場合で、合成画像を生成し、フラッシュメモリ３８に書込んだ場合は、再生モード時には、上述したと同様の手順で合成画像データを再生し、ＶＲＡＭコントローラ３３を介してＶＲＡＭ３４に展開して記憶させた上で、ＶＲＡＭ３４から定期的に読出し、これらの画像データを基にビデオ信号を発生して表示部１３で再生出力させる。
【００４７】
また、同時撮影モードの場合で、被写体画像データとモニタ側画像データをそれぞれ圧縮し、互いに関連付けてフラッシュメモリ３８に書込むように構成した場合には、再生モード時には、フラッシュメモリ３８から被写体画像データとそれに関連付けられたモニタ側画像データを選択的に読出し上述したと同様の手順で画像データを再生し、ＶＲＡＭコントローラ３３を介してＶＲＡＭ３４、ＶＲＡＭ３４’にそれぞれ展開して記憶させた上で、ＶＲＡＭ３４から定期的に読出し、これらの画像データを基に発生させたビデオ信号を合成して表示部１３に出力する。
【００４８】
図３は同時撮影モード時のモニタリング状態に表示される被写体画像とモニタ側画像の合成画像表示の説明図であり、図３（ａ）はカメラ正面、図３（ｂ）はカメラ背面、図３（ｃ）は表示部に表示される合成画像の例を示す。また、図４は同時撮影モード時のモニタリング状態に表示される被写体画像とモニタ側画像の合成画像表示域指定の説明図、図５は被写体側画像とモニタ側画像のレイアウト入れ替えの説明図である。
【００４９】
デジタルカメラ１において、同時撮影モードが選択されると、カメラ正面の撮影レンズ２（図３（ａ））からの被写体画像１３１と、カメラ背面の撮影レンズ２’（図３（ｂ））からのモニタ側画像１３２が図３（ｃ）に示すように合成されて表示される。ユーザは、所望のタイミングでシャッターキー７を操作して静止画像を得ることができる。
【００５０】
なお、上記図３（ｃ）の例では、モニタ側画像の合成個所は右下隅となっているが、これに限定されない。また、図４（ａ）に示すように画像合成領域（図示の例ではＡ〜Ｄの４箇所の表示域内の一つ）選択欄４１を表示し、ユーザが入力部３６のキー操作を行って所望の表示域を選択すると、図４（ｂ）に示すように選択された表示域にモニタ画像を合成して表示するように構成してもよい。
【００５１】
また、図３（ｃ）の例では、撮影レンズ２で撮影した被写体画像中に撮影レンズ２’で撮影したモニタ側画像を合成表示したが、２つのレイアウトを入れ替えモニタ側画像中に被写体画像を合成表示することができるようにしてもよい。例えば、図５（ａ）に示すように被写体画像中に合成されたモニタ画像をマウス等でクリックするとレイアウトが入れ替わり、モニタ側画像中に被写体画像を合成した合成画像を表示するようにしてもよい。
【００５２】
図１〜図４の説明で述べた構成により、同時撮影モードを用いれば、親子写真のようにユーザの家族を撮影する場合、撮影者であるユーザも同一画面に合成表示できるのでセルフタイマを用いなくても簡易に撮影者を同一画面内に表示できる。また、通常の集合写真の場合も同様に表示できる。さらに、同時撮影モードにより、風景や構造物などを撮影する際にもセルフタイマや他人による手助けがなくても簡単にユーザ自身を同一画面内に表示できる。
【００５３】
図６は、同時撮影モード時の撮像動作プログラムによるデジタルカメラ１の動作例を示すフローチャートであり、図６（ａ）は同時撮影モードにおける画像記録時に合成画像を記録する場合のフローチャート、図６（ｂ）は同時撮影モードにおける画像記録時に、被写体画像とモニタ画像を関連付けて記録する場合のフローチャートである。
【００５４】
図６（ａ）で、ユーザが電源キー６を押してデジタルカメラ１を起動し、モードスイッチ８を操作して撮像モードに切換えると、撮像動作プログラムが起動され、合成画像縮小フラグがオン（＝「１」）にされ、表示部１３に選択メニュー、例えば、「同時撮影モード」、「正面側撮影モード」、「モニタ側撮影モード」、・・が表示される。ここで、合成画像縮小フラグは、ＣＣＤ２３からの被写体画像とＣＣＤ２３’からのモニタ側画像のうちどちらの画像を縮小して合成表示するかを決定する情報フラグであり、合成画像縮小フラグがオンの場合はモニタ側画像が所定の倍率で縮小され、合成画像縮小フラグがオフ（＝「０」）の場合は被写体画像が所定の倍率で縮小されて合成表示されることを意味する（ステップＳ１）。
【００５５】
ユーザがメニューキー９を操作して表示部１３に表示された所望のメニューを選択すると、制御部３２はメニューキー９から送出された信号を基に選択されたメニューを調べ、選択されたメニューが「同時撮影モード」の場合はステップＳ３に進み、「正面側撮影モード」の場合はステップＳ１６に進み、「モニタ側撮影モード」の場合はステップＳ２１に進み、その他のメニューが選択された場合は選択されたメニューに対応する処理に分岐する（ステップＳ２）。
【００５６】
ユーザが、「同時撮影モード」を選択した場合は、制御部３２は、さらに、メニュー表示画面に図４（ａ）に示したような合成画像表示域選択欄４１を表示して合成画像の表示域（＝合成領域）の選択を促し、ユーザが表示域を選択するとステップＳ４に進む（ステップＳ３）。
【００５７】
制御部３２は、モータ２１、２１’及びタイミング発生器２４のタイミング信号生成動作を時分割制御してＣＣＤ２３及びＣＣＤ２３’を走査駆動させ、一定時毎に結像した光像に対する光電変換出力を１フレーム分ずつ出力させ、サンプルホールド回路２６によるサンプルホールド処理、Ａ／Ｄ変換器２７によるデジタル変換処理、カラープロセス回路２８によるカラープロセス処理を経てデジタル値の画像データ（輝度信号Ｙ及び色差信号Ｃｂ、Ｃｒ）を生成させ、ＤＭＡコントローラ２９にそれぞれ出力させ、カラープロセス回路２８の出力するＣＣＤ２３からの被写体画像データとＣＣＤ２３’からのモニタ側画像データをＤＲＡＭインターフェイス３０を介してバッファメモリとして使用されるＤＲＡＭ３１に順次ＤＭＡ転送させ、ＤＲＡＭ３１に割り当てられている被写体画像データ領域及びモニタ側画像データ領域にそれぞれ書込む（ステップＳ４）。
【００５８】
制御部３２は合成画像縮小フラグを調べ、合成画像縮小フラグがオンの場合はステップＳ６に進み、オフの場合はステップＳ７に進む（ステップＳ５）。
【００５９】
合成画像縮小フラグがオンの場合は、ＤＲＡＭ３１に割り当てられている被写体画像データ領域に書込まれている被写体画像データをＶＲＡＭコントローラ３３を介して被写体画像用のＶＲＡＭ３４に展開して書込み、モニタ側画像データ領域に書込まれているモニタ側画像データを所定倍率で縮小してからＶＲＡＭコントローラ３３を介してモニタ側画像用のＶＲＡＭ３４’のうち上記ステップＳ３で選択・指定された領域に展開して書込み、ステップＳ８に進む（ステップＳ６）。
【００６０】
合成画像縮小フラグがオフの場合は、ＤＲＡＭ３１に割り当てられている被写体画像データ領域に書込まれている被写体画像データを所定倍率で縮小してからＶＲＡＭコントローラ３３を介して被写体画像用のＶＲＡＭ３４のうち上記ステップＳ３で選択・指定された領域に展開して書込み、モニタ側画像データ領域に書込まれているモニタ側画像データをＶＲＡＭコントローラ３３を介してモニタ側画像用のＶＲＡＭ３４’に展開して書込む（ステップＳ７）。
【００６１】
次に、ＶＲＡＭ３４に書込まれた被写体画像データとＶＲＡＭ３４’に書込まれたモニタ側画像データを合成し（ステップＳ８）、デジタルビデオエンコーダ３５でビデオ信号を発生して合成画像を表示部１３に出力（スルー画像表示）する（ステップＳ９）。
【００６２】
ユーザは表示部１３に表示されたスルー画像のうち、合成画像部分（図５の符号５１で示す部分）をポイント操作して、図５に示したように被写体画像とモニタ画像の表示レイアウトを入れ替えることができるので、制御部３２はキー入力部３６から送出される信号を調べ、表示レイアウト入れ替え操作（例えば、図５で合成画像部分５１をマウスでクリック）が行われた場合はステップＳ１１に進む。また、合成画像部分の入れ替え操作がなされない場合はステップＳ１２に進む（ステップＳ１０）。表示レイアウト入れ替え操作がなされた場合は、合成画像縮小フラグの値を反転し（つまり、合成画像縮小フラグがオンの場合はオフにし、オフの場合はオンにし）、ステップＳ４に戻る（ステップＳ１１）。
【００６３】
制御部３２はさらにキー入力部３６から送出される信号を調べ、シャッターキー７が操作された場合は、ＣＣＤ２３及びＣＣＤ２３’から取り込んでいる１フレーム分の画像データのＤＭＡ転送の終了後、直ちにＣＣＤ２３及びＣＣＤ２３’からのＤＲＡＭ３１への経路を停止しステップＳ１３に遷移する。また、シャッターキー７が操作されていない場合はステップＳ４に戻る（ステップＳ１２）。
【００６４】
制御部３２は、信号合成回路３９により、ＤＲＡＭ３１の被写体側画像データ書き込み領域に書込まれている１フレーム分の被写体画像データとモニタ側画像データ書き込み領域に書込まれているモニタ側画像データを合成し（ステップＳ１３）、その画像合成データをＤＲＡＭインターフェイス３０を介してＪＰＥＧ回路３７でデータ圧縮する（ステップＳ１４）。そして、取得した符号データを１画像のデータファイルとしてＪＰＥＧ回路３７から読出し、フラッシュメモリ３８に記録し、ＣＣＤ２３及びＣＣＤ２３’からのＤＲＡＭ３１への経路を再開してステップＳ４に戻る（ステップＳ１５）。
【００６５】
正面側撮影モードの場合は、制御部３２は、モータ２１及びタイミング発生器２４のタイミング信号生成動作を制御してＣＣＤ２３を走査駆動させ、一定時毎に結像した光像に対する光電変換出力を１フレーム分出力させ、サンプルホールド回路２６によるサンプルホールド処理、Ａ／Ｄ変換器２７によるデジタル変換処理、カラープロセス回路２８によるカラープロセス処理を経てデジタル値の画像データ（輝度信号Ｙ及び色差信号Ｃｂ、Ｃｒ）を生成させ、ＤＭＡコントローラ２９に出力させ、カラープロセス回路２８の出力するＣＣＤ２３からの被写体画像データをＤＲＡＭインターフェイス３０を介してバッファメモリとして使用されるＤＲＡＭ３１に順次ＤＭＡ転送させ、ＤＲＡＭ３１に書込む（ステップＳ１６）。
【００６６】
次に、ＤＲＡＭ３１に書込まれている被写体画像データをＶＲＡＭコントローラ３３を介して被写体画像用のＶＲＡＭ３４に展開して書込み、デジタルビデオエンコーダ３５でビデオ信号を発生して表示部１３に出力（スルー画像表示）する（ステップＳ１７）。
【００６７】
制御部３２はキー入力部３６から送出される信号を調べ、シャッターキー７が操作された場合は、ＣＣＤ２３から取り込んでいる１フレーム分の画像データのＤＭＡ転送の終了後、直ちにＣＣＤ２３からのＤＲＡＭ３１への経路を停止しステップＳ１９に遷移する。また、シャッターキー７が操作されていない場合はステップＳ１６に戻る（ステップＳ１８）。
【００６８】
制御部３２は、ＤＲＡＭ３１に書込まれている１フレーム分の被写体画像の画像データをＤＲＡＭインターフェイス３０を介してＪＰＥＧ回路３７でデータ圧縮する（ステップＳ１９）。そして、取得した符号データを１画像のデータファイルとしてＪＰＥＧ回路３７から読出し、フラッシュメモリ３８に記録し、ＣＣＤ２３からのＤＲＡＭ３１への経路を再開してステップＳ４に戻る（ステップＳ２０）。
【００６９】
モニタ側撮影モードの場合は、制御部３２は、モータ２１’及びタイミング発生器２４のタイミング信号生成動作を制御してＣＣＤ２３’を走査駆動させ、一定時毎に結像した光像に対する光電変換出力を１フレーム分出力させ、サンプルホールド回路２６によるサンプルホールド処理、Ａ／Ｄ変換器２７によるデジタル変換処理、カラープロセス回路２８によるカラープロセス処理を経てデジタル値の画像データ（輝度信号Ｙ及び色差信号Ｃｂ、Ｃｒ）を生成させ、ＤＭＡコントローラ２９に出力させ、カラープロセス回路２８の出力するＣＣＤ２３’からのモニタ側画像データをＤＲＡＭインターフェイス３０を介してバッファメモリとして使用されるＤＲＡＭ３１に順次ＤＭＡ転送させ、ＤＲＡＭ３１に書込む（ステップＳ２１）。
【００７０】
次に、ＤＲＡＭ３１に書込まれている被写体画像データをＶＲＡＭコントローラ３３を介してモニタ側画像用のＶＲＡＭ３４’に展開して書込み、デジタルビデオエンコーダ３５でビデオ信号を発生して表示部１３に出力（スルー画像表示）する（ステップＳ２２）。
【００７１】
制御部３２はキー入力部３６から送出される信号を調べ、シャッターキー７が操作された場合は、ＣＣＤ２３’から取り込んでいる１フレーム分の画像データのＤＭＡ転送の終了後、直ちにＣＣＤ２３からのＤＲＡＭ３１への経路を停止しステップＳ２４に遷移する。また、シャッターキー７が操作されていない場合はステップＳ２１に戻る（ステップＳ２３）。
【００７２】
制御部３２は、ＤＲＡＭ３１に書込まれている１フレーム分のモニタ側画像の画像データをＤＲＡＭインターフェイス３０を介してＪＰＥＧ回路３７でデータ圧縮する（ステップＳ２４）。そして、取得した符号データを１画像のデータファイルとしてＪＰＥＧ回路３７から読出し、フラッシュメモリ３８に記録し、ＣＣＤ２３’からのＤＲＡＭ３１への経路を再開してステップＳ１に戻る（ステップＳ２５）。
【００７３】
上記構成により、同時撮影モードの場合には被写体画像とモニタ側画像が合成されて表示されるので、ユーザはセルフタイマや他人に撮影依頼を行わなくても、自分が参加した画像を簡単に得ることができる。
【００７４】
なお、同時撮影モードの場合、上記ステップＳ１３〜Ｓ１５を、図６（ｂ）に示すように、「制御部３２は、ＤＲＡＭ３１に書込まれている１フレーム分の被写体画像データとＤＲＡＭ３１に書込まれているモニタ側画像データをそれぞれ圧縮し（ステップＳ１３’）、例えば、被写体画像データファイル名を”１−Ａ”、モニタ側画像データファイル名を”１−Ｂ”といったように互いに関連付けてフラッシュメモリ３８に記録し、ＣＣＤ２３及びＣＣＤ２３’からのＤＲＡＭ３１への経路を再開してステップＳ４に戻る（ステップＳ１４’）。」と置き換えてもよい。
【００７５】
また、被写体画像とモニタ側画像を合成画像としてフラッシュメモリ３８に書込む「同時撮影モード（１）」と、別々の画像として関連付けてフラッシュメモリ３８に書込む「同時撮影モード（２）」を設け、ユーザが選択設定できるように構成し、撮像動作プログラムを、選択結果により、上記図６（ａ）のステップＳ１３か図６（ｂ）のステップＳ１３’のいずれかに進むように構成してもよい。
【００７６】
このように構成した場合は、再生モード時に被写体画像とモニタ側画像を読み出して再生し、表示又はプリント出力時に合成して表示することができる。また、合成せず、別々の画像として表示したり、プリント出力することもできる。更に、外部装置にフラッシュメモリ３８の記録内容を送信するか、フラッシュメモリ３８を含んだメモリカードを装着して、外部装置側のプログラムにより再生したり、加工して表示又はプリント出力することもできる。また、合成せず、別々の画像として表示したり、プリント出力することもできる。
【００７７】
（第２の実施の形態）
上記第１の実施の形態では、図２に示したように、デジタルカメラ１の電子回路構成例として、駆動モータ２１、撮影レンズ２を含む光学系レンズ２２及びＣＣＤ２３、タイミング発生器２４、及び垂直ドライバ２５で図１（ａ）に示した被写体側撮像部２０の回路を構成し、駆動モータ２１’、撮影レンズ２’を含む光学系レンズ２２’及びＣＣＤ２３’、タイミング発生器２４、及び垂直ドライバ２５で図１（ｂ）に示したモニタ側撮像部２０’の回路を構成するようにし、サンプルホールド回路２６〜ＤＲＡＭインターフェイス３０、及びＤＲＡＭ３１を共通の回路としたが、これに限定されない。例えば、図７に示すように、撮像部及びサンプルホールド回路〜ＤＲＡＭインターフェイスまでの回路を、被写体側とモニタ側用に１系統ずつ別に設けるように構成してもよい。
【００７８】
図７は、図１のデジタルカメラの電子回路構成の他の一実施例を示す図であり、デジタルカメラ１は、駆動モータ２１、撮影レンズ２を含む光学系レンズ２２及び撮像素子としてのＣＣＤ２３、タイミング発生器（ＴＧ）２４、及び垂直ドライバ２５、サンプルホールド回路（Ｓ／Ｈ）２６、Ａ／Ｄ変換器２７、カラープロセス回路２８、ＤＭＡコントローラ２９、ＤＲＡＭインターフェイス（Ｉ／Ｆ）３０、駆動モータ２１’、撮影レンズ２’を含む光学系レンズ２２’及び撮像素子としてのＣＣＤ２３’、タイミング発生器（ＴＧ）２４’、及び垂直ドライバ２５’、サンプルホールド回路（Ｓ／Ｈ）２６’、Ａ／Ｄ変換器２７’、カラープロセス回路２８’、ＤＭＡコントローラ２９’、ＤＲＡＭインターフェイス（Ｉ／Ｆ）３０’、ＤＲＡＭ３１、制御部３２、ＶＲＡＭコントローラ３３、被写体画像用のＶＲＡＭ３４、モニタ側画像用のＶＲＡＭ３４’、デジタルビデオエンコーダ３５、キー入力部３６、ＪＰＥＧ回路３７、フラッシュメモリ３８、信号合成回路３９、及び表示部１３を備えている。
【００７９】
上記ＤＲＡＭ３１にはＣＣＤ２３からの１フレーム分の被写体画像データを記憶する領域と、ＣＣＤ２３’からの１フレーム分のモニタ側画像データを記憶する領域が確保されているものとする。なお、ＤＲＡＭ３１の代わりに、ＣＣＤ２３からの１フレーム分の被写体画像データを記憶するＤＲＡＭと、ＣＣＤ２３’からの１フレーム分のモニタ側画像データを記憶するＤＲＡＭを設けるようにしてもよい。また、信号合成回路３９は設けなくてもよい。
【００８０】
駆動モータ２１、撮影レンズ２を含む光学系レンズ２２及びＣＣＤ２３、タイミング発生器２４、及び垂直ドライバ２５は図１（ａ）に示した被写体側撮像部２０の回路を構成し、駆動モータ２１’、撮影レンズ２’を含む光学系レンズ２２’及びＣＣＤ２３’、タイミング発生器２４、及び垂直ドライバ２５は図１（ｂ）に示したモニタ側撮像部２０’の回路を構成している。
【００８１】
また、サンプルホールド回路２６〜ＤＲＡＭインターフェイス３０の経路は被写体側撮像部２０のＣＣＤ２３からの出力信号の信号変換処理部を構成し、サンプルホールド回路２６’〜ＤＲＡＭインターフェイス３０’の経路はモニタ側撮像部２０’のＣＣＤ２３’からの出力信号の信号変換処理部を構成している。
【００８２】
同時撮影モードの場合は、制御部３２は、撮像部２０及び２０’を同時制御して一定時毎に結像した光像に対する光電変換出力を１フレーム分出力させると共に、被写体側撮像部２０に連なる信号変換処理部とモニタ側撮像部２０’に連なる信号変換処理部を同時制御して、１フレー部分の被写体画像データおよび１フレーム分のモニタ側画像データをＤＲＡＭ３１の被写体画像データの記憶領域及びモニタ側画像データの記憶領域にそれぞれ記憶する。
【００８３】
上記２つの撮像部はキー入力部３６からのユーザの指示に基づく制御部３２の制御により、一方のみの撮影か同時撮影モードによる撮影が可能である。また、本実施の形態では、モニタ側撮像部２０’の画素数は、例えば、モニタ側１００万画素、被写体側４００万画素といったように、被写体側撮像部２０の画素数より少なく構成されている。また、ＡＥは撮像部２０、２０’それぞれに対して行われる。
【００８４】
撮影モードのモニタリング状態で、被写体側撮像部２０側では、制御部３２からの駆動制御信号により駆動するモータ２１の駆動により絞り位置が移動される。上記撮影レンズ２を含む光学系レンズ２２の撮影光軸後方に配置されたＣＣＤ２３が、タイミング発生器２４からのタイミング信号に基づき垂直ドライバ２５によって走査駆動され、一定時毎に結像した光像に対する光電変換出力を１フレーム分出力する。
【００８５】
同様に、モニタ側撮像部２０’側では、制御部３２からの駆動制御信号により駆動するモータ２１’の駆動により絞り位置が移動される。上記撮影レンズ２’を含む光学系レンズ２２’の撮影光軸後方に配置されたＣＣＤ２３’が、タイミング発生器２４’からのタイミング信号に基づき垂直ドライバ２５’によって走査駆動され、一定時毎に結像した光像に対する光電変換出力を１フレーム分出力する。
【００８６】
ＣＣＤ２３（又はＣＣＤ２３’）からの光電変換出力は、アナログ値の状態でＲＧＢの各原色毎に適宜ゲイン調整された後に、サンプルホールド回路２６（又はサンプルホールド回路２６’）でサンプルホールドされ、Ａ／Ｄ変換器２７（又はＡ／Ｄ変換器２７’）、でデジタルデータに変換され、カラープロセス回路２８（又は／及びカラープロセス回路２８’）で画素補間処理及びγ補正処理を含むカラープロセス処理が行われて、デジタル値の画像データ（輝度信号Ｙ及び色差信号Ｃｂ、Ｃｒ）が生成され、ＤＭＡコントローラ２９に出力される。
【００８７】
ＤＭＡコントローラ２９（又はＤＭＡコントローラ２９’）は、カラープロセス回路２８（又はカラープロセス回路２８’）の出力する画像データを、それぞれカラープロセス回路２８（又はカラープロセス回路２８’）からの複合同期信号、メモリ書込みイネーブル信号、及びクロック信号を用いて一度ＤＭＡコントローラ２９（又はＤＭＡコントローラ２９’）内部のバッファに書き込み、ＤＲＡＭインターフェイス３０（又はＤＲＡＭインターフェイス３０’）を介してバッファメモリとして使用されるＤＲＡＭ３１にＤＭＡ転送する。
【００８８】
制御部３２は、ＣＰＵと、後述する色強調処理を含むＣＰＵで実行される動作プログラムや撮像動作プログラムを固定的に記憶したＲＯＭ、及びワークメモリとして使用されるＲＡＭ等により構成され、このデジタルカメラ１全体の制御動作を司るもので、上記輝度及び色差信号のＤＲＡＭ３１へのＤＭＡ転送終了後に、この画像データをＤＲＡＭインターフェイス３０（又はＤＲＡＭインターフェイス３０’）を介してＤＲＡＭ３１から読出し、ＶＲＡＭコントローラ３３を介して被写体画像用のＶＲＡＭ３４（又はモニタ側画像用のＶＲＡＭ３４’）に書込む。
【００８９】
また、同時撮影モードの場合はＤＲＡＭ３１に割り当てられている２つの書き込み領域に書込まれている被写体画像及びモニタ側画像の画像データをＶＲＡＭコントローラ３３を介して被写体画像用のＶＲＡＭ３４及びＶＲＡＭ３４’にそれぞれ書込む。また、この際、ＶＲＡＭ３４又はＶＲＡＭ３４’には後述する合成画像縮小フラグの値により、被写体画像またはモニタ側画像のいずれかを所定倍率で縮小して書込む。
【００９０】
デジタルビデオエンコーダ３５は、上記画像データをＶＲＡＭコントローラ３３を介してＶＲＡＭ３４又はＶＲＡＭ３４’から定期的に読み出し、これらのデータを元にビデオ信号を発生して表示部１３に出力する。
【００９１】
同時撮影モードの場合は、ＶＲＡＭ３４に書込まれているデータとＶＲＡＭ３４’に書込まれているデータを合成したビデオ信号を発生して表示部１３に出力する。
【００９２】
以下、表示部１３でのスルー画像表示、記録保存状態での動作、及び再生モードでの動作は前述した第１の実施の形態の場合と同様である。また、撮影モード時の撮像動作プログラムによるデジタルカメラ１の動作は、ステップＳ４以外は、図６に示したフローチャートと同様である。
【００９３】
つまり、図６（ａ）のステップＳ４を、「制御部３２は、モータ２１、２１’及びタイミング発生器２４のタイミング信号生成動作を時分割制御してＣＣＤ２３及びＣＣＤ２３’を走査駆動させ、一定時毎に結像した光像に対する光電変換出力を１フレーム分ずつ出力させ、サンプルホールド回路２６及びサンプルホールド回路２６’によるサンプルホールド処理、Ａ／Ｄ変換器２７及びＡ／Ｄ変換器２７’によるデジタル変換処理、カラープロセス回路２８及びカラープロセス回路２８’によるカラープロセス処理を経てデジタル値の被写体画像データ及びモニタ側画像データを生成させ、ＤＭＡコントローラ２９及びＤＭＡコントローラ２９’にそれぞれ出力させ、カラープロセス回路２８が出力するＣＣＤ２３からの被写体画像データをＤＲＡＭインターフェイス３０を介してバッファメモリとして使用されるＤＲＡＭ３１にＤＭＡ転送させ、ＤＲＡＭ３１に割り当てられている被写体画像データ領域に書込むと共に、カラープロセス回路２８’が出力するＣＣＤ２３’からのモニタ側画像データをＤＲＡＭインターフェイス３０’を介しＤＲＡＭ３１にＤＭＡ転送させ、ＤＲＡＭ３１に割り当てられているモニタ側画像データ領域に書込む」、ように構成すればよい。
【００９４】
以上、本発明のいくつかの実施例について説明したが本発明は上記各実施例に限定されるものではなく、種々の変形実施が可能であることはいうまでもない。
【００９５】
【発明の効果】
上記説明したように、本発明によれば、同時撮影モードが選択されると被写体画像とモニタ側画像が合成されて表示されるので、ユーザはセルフタイマや他人に撮影依頼を行わなくても、自分が参加した画像を簡単に得ることができる。
【図面の簡単な説明】
【図１】本発明を適用したデジタルカメラの外観構成の一実施例を示す図である。
【図２】図１のデジタルカメラの電子回路構成の一実施例を示す図である。
【図３】同時撮影モード時のモニタリング状態に表示される被写体画像とモニタ側画像の合成画像表示の説明図である。
【図４】同時撮影モード時のモニタリング状態に表示される被写体画像とモニタ側画像の合成画像表示域指定の説明図である。
【図５】被写体側画像とモニタ側画像のレイアウト入れ替えの説明図である。
【図６】同時撮影モード時の撮像動作プログラムによるデジタルカメラの動作例を示すフローチャートである。
【図７】図１のデジタルカメラの電子回路構成の他の実施例を示す図である。
【符号の説明】
１  デジタルカメラ（撮像装置）
７  シャッターキー（撮像指示手段）
８  モードスイッチ（撮像モード選択手段）
９  メニューキー（撮像モード選択手段）
１３  表示部
２０  被写体側撮像部（第１の撮像部）
２０’  モニタ側撮像部（第２の撮像部）
３１  ＤＲＡＭ（画像記憶メモリ）
３２  制御部（同時撮影制御手段、画像記憶制御手段、モード遷移手段）
３８  フラッシュメモリ（保存メモリ）
【図１】
2004363994.tif 000003
【図２】
2004363994.tif 000004
【図３】
2004363994.tif 000005
【図４】
2004363994.tif 000006
【図５】
2004363994.tif 000007
【図６】
2004363994.tif 000008
【図７】
2004363994.tif 000009